(57)【特許請求の範囲】
【請求項１】
インバータ装置に関する各種の情報を表示するものであって、複数桁の７セグメント表示器を有する表示手段と、
ユーザによる操作が可能な操作部を有し、その操作部の操作に応じてインバータ装置に関する各種の設定値を設定する設定手段と、
前記表示手段による表示を制御する表示制御手段と、
を備え、
前記表示制御手段は、前記複数桁の７セグメント表示器の各セグメントのうち、前記設定手段により設定される各設定値の中の任意の設定値の大きさに応じた数のセグメントを点灯することにより前記任意の設定値の大きさを表現する設定値表現処理を実行可能に構成され、前記設定値表現処理を実行する際、前記複数桁の７セグメント表示器の各セグメントのうち、外周に配置されているセグメントおよびドット表示用のセグメントの一部または全部を点灯の対象とすることを特徴とするインバータ装置のパネル装置。
【請求項２】
前記表示制御手段は、前記設定手段により前記設定値の設定が行われていない期間に、前記設定値表現処理を実行することを特徴とする請求項１に記載のインバータ装置のパネル装置。
【請求項３】
前記表示制御手段は、インバータ装置が有する特定の操作キーに対する操作が行われると、前記設定値表現処理を実行することを特徴とする請求項１に記載のインバータ装置のパネル装置。
【請求項４】
前記表示制御手段は、前記設定値表現処理を実行する際、前記任意の設定値の大きさを表現するための表示と、インバータ装置に関する各種の情報を表す通常の表示とを、少なくとも１度は交互に表示させることを特徴とする請求項１から３のいずれか一項に記載のインバータ装置のパネル装置。
【請求項５】
前記表示制御手段は、前記設定値表現処理を実行する際、点灯されるセグメントのうち最上位の値を表現するためのセグメントの点灯状態を、前記任意の設定値の大きさに応じて変化させることにより、前記任意の設定値の大きさを一層高い分解能で表現することを特徴とする請求項１から４のいずれか一項に記載のインバータ装置のパネル装置。
【請求項６】
前記表示制御手段は、インバータ装置が停止中または加減速中であることを条件に前記設定値表現処理を実行することを特徴とする請求項１から５のいずれか一項に記載のインバータ装置のパネル装置。
【発明の詳細な説明】
【技術分野】
【０００１】
本発明の実施形態は、インバータ装置のパネル装置に関する。
【背景技術】
【０００２】
インバータ装置に取り付けられるパネル装置には、インバータ装置に関する各種の情報を表示するための表示器（表示手段）およびインバータ装置に関する各種の設定値（周波数指令値、パラメータ値など）を設定するための設定器（設定手段）が設けられている。従来、上記設定器として可変抵抗器などからなるボリュームが用いられていた。
【０００３】
ボリュームを用いた設定器の場合、その回転位置に応じた値が設定されることになる。通常、ボリュームには、目盛り（ノッチ）が設けられており、その目盛りと、ボリュームの操作部であるツマミに設けられる指針との位置関係から回転位置が分かるようになっている。従って、ユーザは、ボリュームの回転位置を目視で確認することにより、ボリュームにより設定された設定値（設定量）の概略を知ることが可能であった。
【０００４】
しかし、近年では、上記設定器として、パルスエンコーダなどからなる設定ダイヤル、シートキー（アップキー、ダウンキー）などが用いられるようになっている。このような設定器の場合、ボリュームとは異なり、その状態（操作状態）と設定された設定値とは、必ずしも連動していない。従って、ユーザは、その操作状態を目視で確認しても設定された設定値を知ることができない。そのため、上記構成の場合、設定値の設定中、表示器にその値を数字などで表示させるようになっている。これにより、ユーザは、設定値の設定中には設定している値を知ることができる。そして、設定が終了すると、表示器には、通常の表示、例えば現在の出力周波数やトリップコードなどが表示されることになる。
【先行技術文献】
【特許文献】
【０００５】
【特許文献１】特開２００８−０１１６２４号公報
【発明の概要】
【発明が解決しようとする課題】
【０００６】
設定器としてパルスエンコーダなどを用いた場合、ボリュームを用いた場合に比べ、以下の点においてユーザの利便性が低下することが考えられる。すなわち、ボリュームを用いた構成の場合、ユーザはその回転位置を視認することにより例えば周波数指令値などの設定値の概略を簡単に把握することができ、その結果、迅速にインバータ装置の運転を開始することができる。
【０００７】
これに対し、パルスエンコーダなどを用いた構成の場合、ユーザは周波数指令値などの設定値を簡単に把握することができない。この場合、ユーザは、設定値を表示器に表示するモニタモードを利用したり、あえて設定値の変更操作をすることにより設定値を表示器に表示させたりする必要がある。つまり、設定値の確認に多大な時間および手間を要することになり、迅速にインバータ装置の運転を開始することができない。
【０００８】
そこで、用いられる設定手段の種類にかかわらず、その設定手段により設定された設定値の概略をユーザが簡単に知ることができるインバータ装置のパネル装置を提供する。
【課題を解決するための手段】
【０００９】
本実施形態のインバータ装置のパネル装置は、表示手段、設定手段および表示制御手段を備えている。表示手段は、インバータ装置に関する各種の情報を表示するものであって、複数桁の７セグメント表示器を有する。設定手段は、ユーザによる操作が可能な操作部を有し、その操作部の操作に応じてインバータ装置に関する各種の設定値を設定する。表示制御手段は、表示手段による表示を制御するものであり、複数桁の７セグメント表示器の各セグメントのうち、設定手段により設定される各設定値の中の任意の設定値の大きさに応じた数のセグメントを点灯することにより任意の設定値の大きさを表現する設定値表現処理を実行可能に構成され、前記設定値表現処理を実行する際、前記複数桁の７セグメント表示器の各セグメントのうち、外周に配置されているセグメントおよびドット表示用のセグメントの一部または全部を点灯の対象とする。
【図面の簡単な説明】
【００１０】
【図１】第１の実施形態を示すもので、パネル装置の概略構成を示すブロック図
【図２】設定値の設定操作に応じて表示器の表示状態が変化する態様を示す図
【図３】数字および文字以外で設定値の概略を表現する表示方法の一例を示す図
【図４】第２の実施形態を示すもので、設定値の概略を表現する方法の第１の変形例を示す図３相当図
【図５】設定値の概略を表現する方法の第２の変形例を示す図３相当図
【図６】第３の実施形態を示す図３相当図
【図７】設定値の下位桁と各点灯パターンの表示割合との関係を示す図
【発明を実施するための形態】
【００１１】
以下、パネル装置の複数の実施形態について図面を参照して説明する。なお、各実施形態において実質的に同一の構成には同一の符号を付して説明を省略する。
（第１の実施形態）
以下、本発明の第１の実施形態について図１〜図３を参照して説明する。
図１に示すパネル装置１は、電動機を可変速制御するインバータ装置に取り付けられるものである。パネル装置１は、制御部２、設定部３、操作キー群４、表示部５、ＬＥＤ駆動部６、データメモリ７などから構成されている。制御部２は、ＣＰＵ、ＲＯＭ、ＲＡＭなどを備えたマイクロコンピュータを主体に構成されている。制御部２は、所定のプログラムを実行することにより種々の制御を実現する。制御部２は、インバータ装置の制御部（図示略）との間において、通信などによりデータの送受信を行うことが可能である。制御部２は、上記データの送受信により、インバータ装置の動作状態を検出することができるようになっている。
【００１２】
設定部３（設定手段に相当）は、ユーザにより回転操作可能なツマミを有する設定ダイヤル３ａ（操作部に相当）を備えている。設定ダイヤル３ａは、パルスエンコーダを備えた構成である。設定部３は、設定ダイヤル３ａの回転操作に応じたパルス信号を出力する。操作キー群４は、ユーザにより押圧操作可能な押圧スイッチからなる決定キー４ａ、ＲＵＮキー４ｂ、ＳＴＯＰキー４ｃなどから構成されている。決定キー４ａは、設定中の値などを決定する際などに操作される。ＲＵＮキー４ｂは、インバータ装置の運転を開始する際に操作される。ＳＴＯＰキー４ｃは、インバータ装置の運転を停止する際に操作される。操作キー群４は、各キー４ａ〜４ｃの操作状態に応じた操作状態信号を出力する。
【００１３】
制御部２には、設定部３から出力されるパルス信号、操作キー群４の操作状態を示す操作状態信号が与えられている。制御部２は、与えられるパルス信号に基づいて設定部３の設定ダイヤル３ａに対する操作を検出する（設定検出処理）。制御部２は、設定検出処理の結果に基づいて、例えば周波数指令値やパラメータの数値の設定など動作条件の設定を行う。また、制御部２は、それら設定された各種の設定値に関するデータを、インバータ装置の制御部に出力するとともに、データメモリ７に格納（記憶）する。
【００１４】
制御部２は、与えられる操作状態信号に基づいて決定キー４ａ、ＲＵＮキー４ｂおよびＳＴＯＰキー４ｃに対する操作を検出する（操作検出処理）。制御部２は、操作検出処理の結果に基づいて、操作キー群４の操作状態に関するデータを、インバータ装置の制御部に出力する。インバータ装置の制御部は、パネル装置１の制御部２から与えられるデータに基づいて、インバータ装置の運転などの動作を制御する。
【００１５】
表示部５（表示手段に相当）は、インバータ装置に関する各種の情報を表示するためのものである。表示部５は、７セグメントＬＥＤ表示器１１〜１４、小粒ドット表示用のＬＥＤ１５ａ〜１５ｅを備えている。７セグメントＬＥＤ表示器１１〜１４（７セグメント表示器に相当）は、矩形状をなすセグメントＡ〜Ｇおよび小数点表示用の円形（小粒）をなすセグメントＤＩＰが設けられたものである。ただし、最下位桁を表す７セグメントＬＥＤ表示器１４だけは、セグメントＤＩＰが省かれている。なお、図１には、上記各セグメントについての符号（Ａ〜Ｇ、ＤＩＰ）は、一部だけ付しており、その他については符号を省略している。表示部５は、４つの７セグメントＬＥＤ表示器１１〜１４が併設されることにより、４桁の英数字などを表示可能になっている。
【００１６】
ＬＥＤ１５ａ〜１５ｅは、表示される数値の単位、インバータ装置の運転状態や運転モードなどを表すために用いられる。ＬＥＤ駆動部６は、制御部２から与えられる制御信号に基づいて、表示部５の各ＬＥＤをＰＷＭ（Pulse Width Modulation）駆動する。データメモリ７には、前述した各種の設定値に関するデータを含めた種々のデータが格納される。
【００１７】
制御部２は、表示部５による表示を制御する表示制御手段としての機能を有する。制御部２は、データメモリ７に格納されたデータのうち、設定部３により設定された設定値（周波数指令値、パラメータの数値など）に関するデータを表示部５に表示する際、通常表示処理および設定値表現処理のうち、いずれか一方を実行する。通常表示処理は、設定値を数値として表示部５に表示する処理である。設定値表現処理は、設定値の大きさ（設定量）を数字や文字以外の情報で概略的に表示（表現）する処理である。
【００１８】
通常表示処理が実行される場合、次のような流れの処理となる。この場合、まず、制御部２は、データメモリ７に格納されたデータのうち、表示するためのデータを選択して取り出す（表示データ選択処理）。そして、制御部２は、取り出したデータを表示部５の７セグメントＬＥＤ表示器１１〜１４などに数値として表示するための数値表示用データに変換する（数値表示用データ変換処理）。その後、制御部２は、数値表示用データに基づいた制御信号をＬＥＤ駆動部６に出力する。これにより、表示部５の各ＬＥＤが駆動され、データメモリ７に格納された任意の設定値が数値として表示される。
【００１９】
このような通常表示処理は、設定ダイヤル３ａが操作された場合（設定値の設定操作および変更操作が行われる場合）や、モニタモードに移行するための所定手順の操作が実行された場合などに実行される。なお、モニタモードは、インバータ装置の機能として通常設けられているものであり、周波数指令値などを表示部５に表示させるモードである。
【００２０】
一方、設定値表現処理が実行される場合、次のような流れの処理となる。この場合も、制御部２は、最初に表示データ選択処理を実行する。そして、制御部２は、取り出したデータを表示部５の７セグメントＬＥＤ表示器１１〜１４などに数値や文字以外の情報で表示するための情報表示用データに変換する（情報表示用データ変換処理）。その後、制御部２は、情報表示用データに基づいた制御信号をＬＥＤ駆動部６に出力する。これにより、表示部５の各ＬＥＤが駆動され、データメモリ７に格納された任意の設定値の大きさが数値や文字以外の情報で概略的に表示される。
【００２１】
このような設定値表現処理は、設定値の設定（変更）操作が行われていない期間に実行される。なお、制御部２は、インバータ装置の動作状態を検出した結果に基づいて、下記（１）、（２）に示すような期間に限定して設定値表現処理を実行するようにしてもよい。
（１）インバータ装置への電源投入後から運転開始までの少なくとも一部の期間（例えば、電源投入後に表示される初期表示が終了した時点から所定時間（例えば数秒程度）が経過するまでの期間など）
（２）インバータ装置が設定された周波数指令値を表示していない期間（例えば、インバータ装置が停止中や加減速中である期間など）
また、制御部２は、上記期間に代えて、特定の操作キーが操作されたことを条件として設定値表現処理を実行するようにしてもよい。つまり、制御部２は、特定の操作キーが操作された時点から所定時間が経過するまでの期間に設定値表現処理を実行するようにしてもよい。特定の操作キーとしては、設定値表現処理を実行するための操作キーを別途設けてもよいが、以下のようにすれば、元々存在するＲＵＮキー４ｂまたはＳＴＯＰキー４ｃを流用することができるため有益である。
【００２２】
すなわち、ＲＵＮキー４ｂは、インバータ装置の運転を開始する際に操作されるものであるため、運転中に操作されたとしてもインバータ装置の運転に影響しない。そこで、インバータ装置の運転中にＲＵＮキー４ｂが操作されたときに設定値表現処理を実行するようにしてもよい。また、ＳＴＯＰキー４ｃは、インバータ装置の運転を停止する際に操作されるものであるため、停止中に操作されたとしてインバータ装置の運転に影響しない。そこで、インバータ装置の停止中にＳＴＯＰキー４ｃが操作されたときに設定値表現処理を実行するようにしてもよい。なお、設定値表現処理が実行される期間およびタイミングについては、例えばパラメータの設定などにより、ユーザが適宜変更することができるような構成であってもよい。
【００２３】
次に、上記構成の作用について説明する。
本実施形態では、設定値表現処理が実行される場合、設定ダイヤル３ａの回転操作に応じて設定された設定値の大きさに応じた数のセグメントが点灯されるようになっている。具体的には、設定された設定値の最大値に対する割合に基づいて、０〜１０個のセグメントを点灯するようになっている。
【００２４】
上記した設定値（例えば周波数指令値）の最大値（例えば最高周波数値）に対する割合αを下記（１）で表し、以降の説明では表示データと表現する。ただし、ここでは、説明を分かり易くするため、表示データを整数で表しているが、これに限定する必要はない。また、（１）式では、設定値をＡｃで表し、その最大値をＡmaxで表している。さらに、「ＩＮＴ（  ）」は、括弧内の値について整数の部分だけを取得することを意味している。
α＝ＩＮＴ（１００×Ａｃ／Ａmax）            …（１）
【００２５】
このような設定値表現処理を実現するため、制御部２（表示制御手段）は、下記（２）式に基づく演算を行い、設定された設定値から点灯するセグメントの個数ｎを求める。
ｎ＝ＩＮＴ（（α−１）／１０）＋１            …（２）
このような設定値表現処理が実行されることにより、例えば、設定された設定値が比較的小さい場合には点灯されるセグメントの数は比較的少なくなる（図２（ａ）参照）。これに対し、設定された設定値が比較的大きい場合には点灯されるセグメントの数は比較的多くなる（図２（ｂ）参照）。
【００２６】
具体的なセグメントの点灯方法は、以下のとおりである。また、設定値表現処理が実行される場合、設定値の大きさにかかわらず、７セグメントＬＥＤ１２の小数点表示用のセグメントＤＩＰは、常時点灯される。
【００２７】
図３に示すように、表示データが０％の場合、７セグメントＬＥＤ表示器１１〜１４の各セグメントは全て消灯される。表示データが１％〜１０％の場合、７セグメントＬＥＤ表示器１１のセグメントＤが点灯される。表示データが１１％〜２０％の場合、１％〜１０％の場合に点灯されたセグメントに加え、７セグメントＬＥＤ表示器１１のセグメントＥが点灯される。表示データが２１％〜３０％の場合、１１％〜２０％の場合に点灯されたセグメントに加え、７セグメントＬＥＤ表示器１１のセグメントＦが点灯される。表示データが３１％〜４０％の場合、２１％〜３０％の場合に点灯されたセグメントに加え、７セグメントＬＥＤ表示器１１セグメントＡが点灯される。表示データが４１％〜５０％の場合、３１％〜４０％の場合に点灯されたセグメントに加え、７セグメントＬＥＤ表示器１２のセグメントＡが点灯される。
【００２８】
表示データが５１％〜６０％の場合、４１％〜５０％の場合に点灯されたセグメントに加え、７セグメントＬＥＤ表示器１３のセグメントＡが点灯される。表示データが６１％〜７０％の場合、５１％〜６０％の場合に点灯されたセグメントに加え、７セグメントＬＥＤ表示器１４のセグメントＡが点灯される。表示データが７１％〜８０％の場合、６１％〜７０％の場合に点灯されたセグメントに加え、７セグメントＬＥＤ表示器１４のセグメントＢが点灯される。表示データが８１％〜９０％の場合、７１％〜８０％の場合に点灯されたセグメントに加え、７セグメントＬＥＤ表示器１４のセグメントＣが点灯される。表示データが９１％〜１００％の場合、８１％〜９０％の場合に点灯されたセグメントに加え、７セグメントＬＥＤ表示器１４のセグメントＤが点灯される。
【００２９】
このように、設定値表現処理においては、７セグメントＬＥＤ表示器１１のセグメントＡ、Ｄ、Ｅ、Ｆ、７セグメントＬＥＤ表示器１２、１３のセグメントＡ、７セグメントＬＥＤ表示器１４のセグメントＡ〜Ｄが点灯の対象となっている。つまり、設定値表現処理においては、併設された４つの７セグメントＬＥＤ表示器１１〜１４の各セグメントのうち、外周に配置されているセグメントが点灯の対象となっており、それらの点灯状態により設定値の大きさが表現される。
【００３０】
以上説明したように、本実施形態によれば、次のような効果が得られる。
本実施形態では、操作部（ツマミ）の操作状態から設定された値を推測することが難しい構成をなすパルスエンコーダからなる設定ダイヤル３ａを用いて、周波数指令値やパラメータの数値などを設定するための設定部３が構成されている。従来、このような構成の場合、ユーザは、設定値を表示部５に表示するモニタモードを利用したり、あえて設定値の設定操作（変更操作）をすることにより設定値を表示部５に表示させたりする必要があった。しかし、設定値を表示させるために、設定ダイヤル３ａを回転操作した場合、意図せずに設定値が変更されてしまうおそれがある。また、モニタモードを利用するためには、その操作手順を予め知っておく必要がある上、そのような操作を行わなければならない分だけ、その後のインバータ装置の運転が迅速に行えなくなるといった問題があった。
【００３１】
これに対し、本実施形態では、制御部２は、設定部３により設定された設定値の大きさを数字や文字以外の情報で表示部５に表示させる設定値表現処理を実行することができる。設定値表現処理は、表示部５の７セグメントＬＥＤ表示器１１〜１４の各セグメントのうち、設定された設定値の大きさに応じた数のセグメントを点灯するものである。このような設定値表現処理が実行されることにより、設定部３の構成に関係なく、ユーザは、表示部５を視認することで設定された設定値の概略を簡単に把握することができる。
【００３２】
設定値表現処理では、外周に配置されたセグメントを点灯の対象としている。また、設定値表現処理では、表示部５の中央下部に位置する７セグメントＬＥＤ表示器１２のセグメントＤＩＰを常時点灯させている。そして、設定値の大きさに応じて、上記セグメントＤＩＰの左側に位置する７セグメントＬＥＤ表示器１１のセグメントＤから、上記セグメントＤＩＰの右側に位置する７セグメントＬＥＤ表示器１４のセグメントＤまで、外周に配置されたセグメントを時計回りに順番に点灯させていく。つまり、設定値表現処理では、円形の設定ダイヤル３ａが回転操作される際の挙動に似通った形態で、セグメントが環状に連続的に表示（点灯）されていくため、ユーザが直感的に設定値を把握し易くなる効果がある。さらに、常時点灯された７セグメントＬＥＤ表示器１２のセグメントＤＩＰによって上記回転の中心が連想されるため、設定値の把握が一層し易くなる。従って、本実施形態によれば従来のボリュームにおけるノッチ（目盛り）を利用した表示と同様の形態で、設定ダイヤル３ａの設定量に応じた回転位置が表示部５に表示される。従って、ユーザは、ボリュームを用いた構成と同様の使い方をすることができ、その利便性が向上する。
【００３３】
また、設定値表現処理では、設定値を、その最大値に対する割合に応じた各段階（０％、１％〜１０％、…、９１％〜１００％）に分類（分解）し、それらの段階毎に点灯するセグメントの数を変化させるようにした。しかも、この場合、表示データは、０％の場合（各セグメントが全て消灯される状態）を除いて１０段階に分割されている。そのため、ユーザは、セグメントの点灯数の増減を確認することにより、１０段階の分解能（１０％単位）で設定値の大きさの概略を知ることが可能となり、この点においても設定値の把握が行い易くなる。
【００３４】
上記設定値表現処理を実行する期間およびタイミングを、ユーザにより設定可能な構成とすることもできる。このようにすれば、様々なユーザの要望に対応することが可能となる。例えば、インバータ装置の運転を開始する前に周波数指令値などの概略を素早く且つ簡単に知りたい場合には、電源投入後の初期表示が終了した時点から運転が開始されるまでの所定期間に設定値表現処理が実行されるようにしておけばよい。このようにすれば、ユーザは、電源投入の後、特に操作を行うことなく、周波数指令値などの設定値の概略を把握することができ、その結果、迅速にインバータ装置の運転を開始することができる。
【００３５】
また、ユーザが自身の操作に応じて周波数指令値などの設定値を知りたい場合には、特定の操作キーが操作されると設定値表現処理が実行されるようにしておけばよい。このようにすれば、ユーザは、自身の所望するタイミングでもって設定値の概略を簡単に知ることができる。このようにすれば、次のような効果も得られる。すなわち、設定値表現処理が実行されると、表示部５には英数字以外の表示がなされることになる。任意のタイミングで設定値表現処理が実行されると、その表示を見たユーザが表示部５のＬＥＤの一部が故障したと勘違いするおそれがある。しかし、特定の操作キーの操作に応じて設定値表現処理が実行されるようにしておけば、ユーザは、自身の操作により表示の態様が変化したことを理解しているため、上記勘違いをすることが無い。
【００３６】
（第２の実施形態）
以下、第２の実施形態について図４および図５を参照して説明する。
設定値表現処理は、設定部３により設定される各設定値の中の任意の設定値の大きさに応じて、点灯するセグメントの数を変化させるものであればよい。例えば、設定値表現処理における各セグメントの点灯方法については、図４および図５に示すような方法を採用することができる。なお、図４および図５に示す各点灯方法のいずれについても、表示データが０％の場合、７セグメントＬＥＤ表示器１１〜１４の各セグメントは全て消灯される。図４は、第１の実施形態と同様に外周に配置されたセグメントを点灯の対象にした例である。これに対し、図５は、外周に配置されたセグメント以外のセグメントをも点灯の対象にした例である。
【００３７】
図４（ａ）に示す点灯方法の場合、表示データが１％〜１０％の場合、７セグメントＬＥＤ表示器１１のセグメントＡが点灯される。表示データが１１％〜２０％の場合、１％〜１０％の場合に点灯されたセグメントに加え、７セグメントＬＥＤ表示器１２のセグメントＡが点灯される。表示データが２１％〜３０％の場合、１１％〜２０％の場合に点灯されたセグメントに加え、７セグメントＬＥＤ表示器１３のセグメントＡが点灯される。表示データが３１％〜４０％の場合、２１％〜３０％の場合に点灯されたセグメントに加え、７セグメントＬＥＤ表示器１４のセグメントＡが点灯される。表示データが４１％〜５０％の場合、３１％〜４０％の場合に点灯されたセグメントに加え、７セグメントＬＥＤ表示器１４のセグメントＢが点灯される。表示データが５１％〜６０％の場合、４１％〜５０％の場合に点灯されたセグメントに加え、７セグメントＬＥＤ表示器１４のセグメントＣが点灯される。
【００３８】
表示データが６１％〜７０％の場合、５１％〜６０％の場合に点灯されたセグメントに加え、７セグメントＬＥＤ表示器１４のセグメントＤが点灯される。表示データが７１％〜８０％の場合、６１％〜７０％の場合に点灯されたセグメントに加え、７セグメントＬＥＤ表示器１３のセグメントＤが点灯される。表示データが８１％〜９０％の場合、７１％〜８０％の場合に点灯されたセグメントに加え、７セグメントＬＥＤ表示器１２のセグメントＤが点灯される。表示データが９１％〜１００％の場合、８１％〜９０％の場合に点灯されたセグメントに加え、７セグメントＬＥＤ表示器１１のセグメントＤが点灯される。
【００３９】
図４（ｂ）に示す点灯方法の場合、表示データが１％〜１０％の場合、７セグメントＬＥＤ表示器１４のセグメントＤが点灯される。表示データが１１％〜２０％の場合、１％〜１０％の場合に点灯されたセグメントに加え、７セグメントＬＥＤ表示器１３のセグメントＤが点灯される。表示データが２１％〜３０％の場合、１１％〜２０％の場合に点灯されたセグメントに加え、７セグメントＬＥＤ表示器１２のセグメントＤが点灯される。表示データが３１％〜４０％の場合、２１％〜３０％の場合に点灯されたセグメントに加え、７セグメントＬＥＤ表示器１１のセグメントＤが点灯される。表示データが４１％〜５０％の場合、３１％〜４０％の場合に点灯されたセグメントに加え、７セグメントＬＥＤ表示器１１のセグメントＥが点灯される。表示データが５１％〜６０％の場合、４１％〜５０％の場合に点灯されたセグメントに加え、７セグメントＬＥＤ表示器１１のセグメントＦが点灯される。
【００４０】
表示データが６１％〜７０％の場合、５１％〜６０％の場合に点灯されたセグメントに加え、７セグメントＬＥＤ表示器１１のセグメントＡが点灯される。表示データが７１％〜８０％の場合、６１％〜７０％の場合に点灯されたセグメントに加え、７セグメントＬＥＤ表示器１２のセグメントＡが点灯される。表示データが８１％〜９０％の場合、７１％〜８０％の場合に点灯されたセグメントに加え、７セグメントＬＥＤ表示器１３のセグメントＡが点灯される。表示データが９１％〜１００％の場合、８１％〜９０％の場合に点灯されたセグメントに加え、７セグメントＬＥＤ表示器１４のセグメントＡが点灯される。
【００４１】
図５（ａ）に示す点灯方法の場合、表示データが１％〜１０％の場合、７セグメントＬＥＤ表示器１１のセグメントＤが点灯される。表示データが１１％〜２０％の場合、１％〜１０％の場合に点灯されたセグメントに加え、７セグメントＬＥＤ表示器１１のセグメントＧが点灯される。表示データが２１％〜３０％の場合、１１％〜２０％の場合に点灯されたセグメントに加え、７セグメントＬＥＤ表示器１１のセグメントＡが点灯される。表示データが３１％〜４０％の場合、２１％〜３０％の場合に点灯されたセグメントに加え、７セグメントＬＥＤ表示器１２のセグメントＤが点灯される。表示データが４１％〜５０％の場合、３１％〜４０％の場合に点灯されたセグメントに加え、７セグメントＬＥＤ表示器１２のセグメントＧが点灯される。表示データが５１％〜６０％の場合、４１％〜５０％の場合に点灯されたセグメントに加え、７セグメントＬＥＤ表示器１２のセグメントＡが点灯される。
【００４２】
表示データが６１％〜７０％の場合、５１％〜６０％の場合に点灯されたセグメントに加え、７セグメントＬＥＤ表示器１３のセグメントＤが点灯される。表示データが７１％〜８０％の場合、６１％〜７０％の場合に点灯されたセグメントに加え、７セグメントＬＥＤ表示器１３のセグメントＧが点灯される。表示データが８１％〜９０％の場合、７１％〜８０％の場合に点灯されたセグメントに加え、７セグメントＬＥＤ表示器１３のセグメントＡが点灯される。表示データが９１％〜１００％の場合、８１％〜９０％の場合に点灯されたセグメントに加え、７セグメントＬＥＤ表示器１４のセグメントＤが点灯される。
【００４３】
図５（ｂ）に示す点灯方法の場合、表示データが１％〜１０％の場合、７セグメントＬＥＤ表示器１１のセグメントＤが点灯される。表示データが１１％〜２０％の場合、１％〜１０％の場合に点灯されたセグメントに加え、７セグメントＬＥＤ表示器１２のセグメントＤが点灯される。表示データが２１％〜３０％の場合、１１％〜２０％の場合に点灯されたセグメントに加え、７セグメントＬＥＤ表示器１３のセグメントＤが点灯される。表示データが３１％〜４０％の場合、２１％〜３０％の場合に点灯されたセグメントに加え、７セグメントＬＥＤ表示器１４のセグメントＤが点灯される。表示データが４１％〜５０％の場合、３１％〜４０％の場合に点灯されたセグメントに加え、７セグメントＬＥＤ表示器１１のセグメントＧが点灯される。表示データが５１％〜６０％の場合、４１％〜５０％の場合に点灯されたセグメントに加え、７セグメントＬＥＤ表示器１２のセグメントＧが点灯される。
【００４４】
表示データが６１％〜７０％の場合、５１％〜６０％の場合に点灯されたセグメントに加え、７セグメントＬＥＤ表示器１３のセグメントＧが点灯される。表示データが７１％〜８０％の場合、６１％〜７０％の場合に点灯されたセグメントに加え、７セグメントＬＥＤ表示器１４のセグメントＧが点灯される。表示データが８１％〜９０％の場合、７１％〜８０％の場合に点灯されたセグメントに加え、７セグメントＬＥＤ表示器１１のセグメントＡが点灯される。表示データが９１％〜１００％の場合、８１％〜９０％の場合に点灯されたセグメントに加え、７セグメントＬＥＤ表示器１２のセグメントＡが点灯される。
【００４５】
図５（ｃ）に示す点灯方法の場合、表示データが１％〜１０％の場合、７セグメントＬＥＤ表示器１１のセグメントＤが点灯される。表示データが１１％〜２０％の場合、１％〜１０％の場合に点灯されたセグメントに加え、７セグメントＬＥＤ表示器１２のセグメントＤが点灯される。表示データが２１％〜３０％の場合、１１％〜２０％の場合に点灯されたセグメントに加え、７セグメントＬＥＤ表示器１３のセグメントＤが点灯される。表示データが３１％〜４０％の場合、２１％〜３０％の場合に点灯されたセグメントに加え、７セグメントＬＥＤ表示器１４のセグメントＤが点灯される。表示データが４１％〜５０％の場合、３１％〜４０％の場合に点灯されたセグメントに加え、７セグメントＬＥＤ表示器１４のセグメントＣ、Ｇが点灯される。表示データが５１％〜６０％の場合、４１％〜５０％の場合に点灯されたセグメントに加え、７セグメントＬＥＤ表示器１３のセグメントＧが点灯される。
【００４６】
表示データが６１％〜７０％の場合、５１％〜６０％の場合に点灯されたセグメントに加え、７セグメントＬＥＤ表示器１２のセグメントＧが点灯される。表示データが７１％〜８０％の場合、６１％〜７０％の場合に点灯されたセグメントに加え、７セグメントＬＥＤ表示器１１のセグメントＧが点灯される。表示データが８１％〜９０％の場合、７１％〜８０％の場合に点灯されたセグメントに加え、７セグメントＬＥＤ表示器１１のセグメントＡ、Ｆが点灯される。表示データが９１％〜１００％の場合、８１％〜９０％の場合に点灯されたセグメントに加え、７セグメントＬＥＤ表示器１２のセグメントＡが点灯される。
【００４７】
図５（ｄ）に示す点灯方法の場合、表示データが１％〜１０％の場合、７セグメントＬＥＤ表示器１１のセグメントＥが点灯される。表示データが１１％〜２０％の場合、１％〜１０％の場合に点灯されたセグメントに加え、７セグメントＬＥＤ表示器１１のセグメントＦが点灯される。表示データが２１％〜３０％の場合、１１％〜２０％の場合に点灯されたセグメントに加え、７セグメントＬＥＤ表示器１１のセグメントＡ、Ｂが点灯される。表示データが３１％〜４０％の場合、２１％〜３０％の場合に点灯されたセグメントに加え、７セグメントＬＥＤ表示器１１のセグメントＣが点灯される。表示データが４１％〜５０％の場合、３１％〜４０％の場合に点灯されたセグメントに加え、７セグメントＬＥＤ表示器１２のセグメントＣ、Ｄが点灯される。表示データが５１％〜６０％の場合、４１％〜５０％の場合に点灯されたセグメントに加え、７セグメントＬＥＤ表示器１２のセグメントＢが点灯される。
【００４８】
表示データが６１％〜７０％の場合、５１％〜６０％の場合に点灯されたセグメントに加え、７セグメントＬＥＤ表示器１３のセグメントＡ、Ｂが点灯される。表示データが７１％〜８０％の場合、６１％〜７０％の場合に点灯されたセグメントに加え、７セグメントＬＥＤ表示器１３のセグメントＣが点灯される。表示データが８１％〜９０％の場合、７１％〜８０％の場合に点灯されたセグメントに加え、７セグメントＬＥＤ表示器１４のセグメントＣ、Ｄが点灯される。表示データが９１％〜１００％の場合、８１％〜９０％の場合に点灯されたセグメントに加え、７セグメントＬＥＤ表示器１４のセグメントＢが点灯される。
【００４９】
以上説明したように、設定値表現処理における各ＬＥＤの点灯方法を変更した本実施形態によっても、第１の実施形態と同様に、ユーザは、表示部５を視認することにより、設定された設定値の概略を簡単に把握することができる。従って、本実施形態によっても、第１の実施形態と同様の作用および効果が得られる。
【００５０】
（第３の実施形態）
以下、第３の実施形態について図６および図７を参照して説明する。
設定値表現処理において、点灯されるセグメントのうち最上位の値を表現するためのセグメント（以下、最上位セグメントとも称す）の点灯状態（明るさ、点滅状態など）を設定値の大きさに応じて変化させるように変更すれば、設定値の大きさを一層高い分解能で表現することができる。
【００５１】
なお、ここで言う最上位セグメントとは、設定値の大きさに応じて順番に点灯された各セグメントのうち、最後に点灯されたセグメントのことである。別の言い方をすると、最上位セグメントとは、設定値が所定値から減少する際に最初に消灯されるセグメントのことである。例えば、図３に示した表示方法において表示データが３１％〜４０％である場合には７セグメントＬＥＤ表示器１１のセグメントＡが最上位セグメントとなり、９１％〜１００％である場合には７セグメントＬＥＤ表示器１４のセグメントＤが最上位セグメントとなる。
【００５２】
このような設定値表現処理を実現するため、制御部２（表示制御手段）は、前述した（１）式に基づく演算に加え、さらに下記（３）式に基づく演算を行い、最上位セグメントの明るさＬを求める。この場合、明るさＬ（％）は、点灯（後述するＯＮパターン）および消灯（後述するＯＦＦパターン）の割合であり、常時点灯している状態が１００％となる。
Ｌ＝１０×（α−１０×（ｎ−１））            …（３）
なお、以降の説明では、明るさＬ（％）は、ＯＮパターンの表示割合として表している。
【００５３】
以下、設定値表現処理に対して上記したような変更を加える具体的な方法の一例を説明する。この場合、図６に示すように、表示データの各段階のそれぞれについて、最上位の値セグメントの点灯状態が異なる２種類の点灯パターン（ＯＦＦパターンおよびＯＮパターン）が用意されている。なお、表示データが０％の場合は、ＯＦＦパターンおよびＯＮパターンは、いずれも全てのセグメントが消灯する状態であり、各パターンにおける差異はない。
【００５４】
ＯＮパターンは、図３に示した点灯パターンと同一のものである。これに対し、ＯＦＦパターンは、所定の段階における点灯状態が、ＯＮパターンでの一つ前の段階における点灯状態と同じ点灯状態になっているものである。すなわち、表示データが１％〜１０％の場合、ＯＮパターンにおける表示データが０％の場合と同一の点灯状態となる。表示データが１１％〜２０％の場合、ＯＮパターンにおける表示データが１％〜１０％の場合と同一の点灯状態となる。
【００５５】
表示データが２１％〜３０％の場合、ＯＮパターンにおける表示データが１１％〜２０％の場合と同一の点灯状態となる。表示データが３１％〜４０％の場合、ＯＮパターンにおける表示データが２１％〜３０％の場合と同一の点灯状態となる。表示データが４１％〜５０％の場合、ＯＮパターンにおける表示データが３１％〜４０％と同一の点灯状態となる。表示データが５１％〜６０％の場合、ＯＮパターンにおける表示データが４１％〜５０％と同一の点灯状態となる。
【００５６】
表示データが６１％〜７０％の場合、ＯＮパターンにおける表示データが５１％〜６０％と同一の点灯状態となる。表示データが７１％〜８０％の場合、ＯＮパターンにおける表示データが６１％〜７０％と同一の点灯状態となる。表示データが８１％〜９０％の場合、ＯＮパターンにおける表示データが７１％〜８０％の場合と同一の点灯状態となる。表示データが９１％〜１００％の場合、ＯＮパターンにおける表示データが８１％〜９０％の場合と同一の点灯状態となる。
【００５７】
このようなＯＦＦパターンおよびＯＮパターンが交互に表示されることにより、その段階における最上位セグメントが点滅表示されることになる。そして、この場合、表示データの上位桁（百および十の位）の値により段階が定まり、表示データの下位桁（一の位）の値により点滅状態（点灯および消灯の割合）が定まる。点滅状態は、ＯＦＦパターンおよびＯＮパターンの表示割合（デューティ比）により定まる。図７に示すように、点滅状態としては、表示データの下位桁の値が小さいほど消灯の割合が高まり、表示データの下位桁の値が大きいほど点灯の割合が高まる。
【００５８】
つまり、表示データの下位桁が１％である場合、ＯＮパターンの表示割合が１０％となる（ＯＦＦパターンの表示割合が９０％となる）。表示データの下位桁が２％である場合、ＯＮパターンの表示割合が２０％となる（ＯＦＦパターンの表示割合が８０％となる）。表示データの下位桁が３％である場合、ＯＮパターンの表示割合が３０％となる（ＯＦＦパターンの表示割合が７０％となる）。表示データの下位桁が４％である場合、ＯＮパターンの表示割合が４０％となる（ＯＦＦパターンの表示割合が６０％となる）。表示データの下位桁が５％である場合、ＯＮパターンの表示割合が５０％となる（ＯＦＦパターンの表示割合が５０％となる）。
【００５９】
表示データの下位桁が６％である場合、ＯＮパターンの表示割合が６０％となる（ＯＦＦパターンの表示割合が４０％となる）。表示データの下位桁が７％である場合、ＯＮパターンの表示割合が７０％となる（ＯＦＦパターンの表示割合が３０％となる）。表示データの下位桁が８％である場合、ＯＮパターンの表示割合が８０％となる（ＯＦＦパターンの表示割合が２０％となる）。表示データの下位桁が９％である場合、ＯＮパターンの表示割合が９０％となる（ＯＦＦパターンの表示割合が１０％となる）。
【００６０】
表示データの下位桁が０％である場合（表示データ≠０）、ＯＮパターンの表示割合が１００％となる（ＯＦＦパターンの表示割合が０％となる）。なお、下位桁が０％である場合（表示データ≠０）とは、例えば３１％〜４０％の段階では４０％の場合であり、９１％〜１００％の段階においては１００％の場合である。要するに、各段階において下位桁の値が最大になると、ＯＮパターンの表示割合が１００％、つまりＯＮパターンが常時表示される状態となる。ただし、表示データが０％（表示データ＝０）のときには、全消灯とする。
【００６１】
以上説明したように、設定値表現処理において、点灯されるセグメントのうち最上位セグメントの点滅状態（点滅速度）を設定値の大きさに応じて変化させるようにすれば、設定値の大きさを一層高い分解能で表現することができる。なお、点滅状態を変化させる方法としては、以下のような方法を採用することもできる。すなわち、点灯パターンは１つ（例えば図３に示したもの）だけ用意しておき、ＬＥＤ駆動部６から表示部５に出力されるＰＷＭ信号（各セグメントのＬＥＤをＰＷＭ駆動するための信号）の周期を変化させることにより、点滅状態を変化させてもよい。また、上述した点滅状態を変化させる方法に代えて、以下のような方法を採用することもできる。例えば、最上位セグメントの点灯の明るさを変化させる方法を採用してもよい。この場合、上記ＰＷＭ信号のデューティ制御により各セグメントを構成するＬＥＤへの駆動電流を動的に変化させて、点灯の明るさを変更するとよい。
【００６２】
（その他の実施形態）
以上、本発明のいくつかの実施形態を説明したが、これら実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。
周波数指令値やパラメータの数値などを設定するための設定部３の構成については適宜変更可能である。例えば、シートキー（アップキーおよびダウンキー）を用いた構成でもよいし、可変抵抗器からなるボリュームを用いた構成であってもよい。
【００６３】
データメモリ７は、図１に示したように制御部２の外部に設けられる構成に限らずともよく、制御部２の内部に設けられる（含まれる）構成であってもよい。
制御部２は、設定値表現処理を実行する際、設定値の大きさを表現するための表示と、インバータ装置に関する各種の情報（例えば、出力周波数やトリップコードなど）を表す通常の表示とを、少なくとも１度、交互に表示するようにしてもよい。例えば、インバータ装置の加減速中に設定値表現処理が実行されるとき、設定値の大きさを表現するための表示と、現在の出力周波数とを交互に表示するとよい。このようにすれば、ユーザは、設定された設定値（周波数指令値など）の概略を把握しつつ、現在のインバータ装置の出力周波数などの情報を把握することができる。
【００６４】
表示部５は、複数桁の７セグメント表示器を備えた構成であればよい。例えば、複数桁の７セグメントＬＣＤ表示器を備えた構成でもよい。
これら実施形態やその変形は、発明の範囲や要旨に含まれるとともに、特許請求の範囲に記載された発明とその均等の範囲に含まれる。
【符号の説明】
【００６５】
図面中、１はパネル装置、２は制御部（表示制御手段）、３は設定部（設定手段）、３ａは設定ダイヤル（操作部）、４ｂはＲＵＮキー（特定の操作キー）、４ｃはＳＴＯＰキー（特定の操作キー）、５は表示部（表示手段）、１１〜１４は７セグメントＬＥＤ表示器（７セグメント表示器）を示す。
【図１】
0005643367.tif 000002
【図２】
0005643367.tif 000003
【図３】
0005643367.tif 000004
【図４】
0005643367.tif 000005
【図５】
0005643367.tif 000006
【図６】
0005643367.tif 000007
【図７】
0005643367.tif 000008